(57)【要約】【課題】再生音の音質向上を図ることができる表示ユニット２の両側にスピーカユニット３ａ，３ｂが取り付けられてなる表示装置を提供する。【解決手段】画像又は映像を表示する表示ユニット２と、表示ユニット２の両側に配設され、再生音を放音するスピーカ４ａ，４ｂ，４ｃユニット３ａ，３ｂと、スピーカ４ａ，４ｂ，４ｃユニット３ａ，３ｂの少なくとも一方の側面部に設けられた操作部５ａ，５ｂとを備える。スピーカユニット３ａ，３ｂは、スピーカ４ａ，４ｂ，４ｃを、スピーカ４ａ，４ｂ，４ｃの前面が取り付けられるフロント部材１１とスピーカ４ａ，４ｂ，４ｃの背面側に取り付けられるセンタ部材１２とからなエンクロージャに取り付けてなり、エンクロージャの外側に部５ａ，５ｂが設けられている。【選択図】  図５
2004363832.tif 000002
【特許請求の範囲】
【請求項１】
画像又は映像を表示する表示ユニットと、
再生音を放音するスピーカを有すると共に上記表示ユニットの両側に配設されるスピーカユニットと、
上記スピーカユニットの少なくとも一方の側面部に設けられた操作部とを備え、
上記スピーカユニットは、上記スピーカをエンクロージャに取り付けてなり、上記エンクロージャの外側に上記操作部が設けられている表示装置。
【請求項２】
上記エンクロージャは、上記スピーカの前面が取り付けられるフロント部材と、上記スピーカの背面側に取り付けられるセンタ部材とからなり、
上記スピーカユニットは、上記センタ部材の背面側に更にリア部材が取り付けられ、
上記操作部は、上記センタ部材に設けられ、上記リア部材より外部に臨まされている請求項１記載の表示装置。
【請求項３】
上記表示ユニットの両側のエンクロージャの容量は、略同じである請求項１記載の表示装置。
【請求項４】
上記操作部は、正面から隠れた位置に設けられている請求項１記載の表示装置。
【請求項５】
上記表示ユニットは、薄型の表示ユニットである請求項１記載の表示装置。
【発明の詳細な説明】
【０００１】
【発明の属する技術分野】
本発明は、表示ユニットの両側にスピーカユニットが設けられ、その側面部に操作部が設けられた表示装置に関する。
【０００２】
【従来の技術】
表示パネルユニットに、液晶表示パネルやプラズマ表示パネルを用いた表示装置は、全体の小型化を図りつつ画面を大きくした方が好ましく、このため、操作部が側面部に設けられている。表示パネルユニットの両側にスピーカユニットが設けられた表示装置では、スピーカユニットの側面部に操作部が設けられている。表示パネルユニットの両側に設けられるスピーカユニットは、スピーカがフロントパネルに取り付けられ、スピーカの背面側に外筐の一部を構成するリアパネルが取り付けられている。スピーカユニットの内部には、操作部を構成する複数の操作釦や外部機器と電気的に接続するための接続ケーブルが接続されるジャックが実装されたプリント配線基板等が配設され、更に、このプリント配線基板は、他のプリント配線基板等とケーブル等によって結線されている。
【０００３】
【発明が解決しようとする課題】
以上のような表示装置のスピーカユニットは、側面部に操作部が設けられており、更に、内部で、操作部が設けられたプリント配線基板と他のプリント配線基板とケーブル等で結線されていることから、スピーカをエンクロージャに取り付けることはできない。このため、薄型の表示装置では、スピーカユニットから放音される再生音の音質を更に向上することができなかった。
【０００４】
そこで、本発明は、再生音の音質向上を図ることができる表示ユニットの両側にスピーカユニットが取り付けられてなる表示装置を提供することを目的とする。
【０００５】
【課題を解決するための手段】
本発明に係る表示装置は、上述した課題を解決すべく、画像又は映像を表示する表示ユニットと、再生音を放音するスピーカを有すると共に表示ユニットの両側に配設されるスピーカユニットと、スピーカユニットの少なくとも一方の側面部に設けられた操作部とを備える。そして、スピーカユニットは、スピーカをエンクロージャに取り付けてなり、エンクロージャの外側に操作部が設けられている。この表示装置では、スピーカがエンクロージャに取り付けられることから、音質の向上を図ることができる。
【０００６】
例えば、このエンクロージャは、スピーカの前面が取り付けられるフロント部材と、スピーカの背面側に取り付けられるセンタ部材とからなり、スピーカユニットは、センタ部材の背面側に更にリア部材が取り付けられ、操作部は、センタ部材に設けられ、リア部材より外部に臨まされている。
【０００７】
また、表示ユニットの両側のエンクロージャの容量は、例えばセンタ部材に凹凸を設けることで略同じにし、音質を揃えることができる。また、例えば、リア部材を、装置の背面側が幅狭となるように形成することで、操作部を、装置の正面から見えないようにすることができ、見栄えを良くすることができる。
【０００８】
【発明の実施の形態】
以下、本発明が適用された薄型表示装置について、図面を参照して説明する。図１に示すように、本発明を適用した薄型表示装置１は、プラズマディスプレイであり、画像又は映像を表示する表示面が設けられた表示パネルユニット２と、この表示パネルユニット２の両側に設けられるスピーカユニット３ａ，３ｂとを有する。表示パネルユニット２は、略矩形をなし、ここでは、プラズマディスプレイパネルを用いている。表示パネルユニット２は、前面に略矩形の表示面２ａが形成され、背面側に、プラズマディスプレイパネルを駆動する駆動回路等が設けられている。具体的に、プラズマディスプレイパネルは、２枚の薄いガラス間に一画素を構成するネオン等の希ガスが封入されたセルが設けられ、このセルの底面に赤  （Ｒ）、緑  （Ｇ）、青  （Ｂ）の蛍光体がコーティングされると共に、上下に複数の電極が設けられてなり、電極に電荷を印加し強制的に放電させ紫外線を発生させることによって、各セルを自発光させ、表示面２ａに入力された信号に応じた画像又は映像を表示する。
【０００９】
スピーカユニット３ａ，３ｂは、略矩形をなす表示パネルユニット２の相対向する短辺に設けられ、正面が略矩形に形成されている。スピーカユニット３ａ，３ｂは、例えば３ウェイのバスレフ型であり、上から、同軸に、高音域用のトゥイータ４ａ、中音域用のスコーカ４ｂ、低音再生用のウーファ４ｃが設けられ、更に、ダクト４ｄが設けられている。
【００１０】
スピーカユニット３ａ，３ｂの背面側には、それぞれ第１の操作部５ａと第２の５ｂが設けられている。スピーカユニット３ａ側の側面、例えばユーザから見て右側の側面には、第１の操作部５ａが設けられている。この第１の操作部５ａは、図２に示すように、薄型表示装置１の基本的操作を行うための複数の押し釦で構成されており、具体的には、電源釦、チャンネル選択釦、音量調整釦、入力切換釦、放送切換釦等が一列に並んで設けられている。更に、第１の操作部５ａには、ＩＣカード等の外部記憶装置が装着される装着部のスロットが設けられている。これらの釦等で構成された第１の操作部５ａは、使用頻度も高く、ユーザから見て右側の側面に設けることで、右利きのユーザの操作性の向上を図っている。
【００１１】
スピーカユニット３ｂ側の側面、例えばユーザから見て左側の側面には、第２の操作部５ｂが設けられている。第２の操作部５ｂは、図３に示すように、外部機器と接続するためのジャックが複数設けられている。具体的には、ビデオ入力端子やデータの送受信をするための例えばＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）の端子部が設けられている。
【００１２】
薄型表示装置１では、スピーカユニット３ａに第１の操作部５ａを設け、スピーカユニット３ｂに第２の操作部５ｂを設け、操作部を両側に分散して設けるようにし、それぞれのスピーカユニット３ａ，３ｂのエンクロージャの容量Ｃをできるだけ大きくして揃えることができるようにしている。
【００１３】
なお、第１の操作部５ａと第２の操作部５ｂは、以上の例とは逆に、スピーカユニット３ａ側に第２の操作部５ｂを設け、スピーカユニット３ｂ側に第１の操作部５ａを設けるようにしてもよい。
【００１４】
次に、表示パネルユニット２の短辺に設けられるスピーカユニット３ａ，３ｂの構成について、図４及び図５を参照して説明する。なお、スピーカユニット３ａ，３ｂは、略同様な構成を有するため、スピーカユニット３ａを例に取り説明し、スピーカユニット３ｂの説明は省略する。
【００１５】
スピーカユニット３ａは、図４に示すように、スピーカ４ａ，４ｂ，４ｃと、表示パネルユニット２の表示面２ａと略同一面に設けられるフロント部材１１と、フロント部材１１に取り付けられたスピーカ４ａ，４ｂ，４ｃを背面側から覆うセンタ部材１２とを有する。
【００１６】
フロント部材１１は、スピーカ４ａ，４ｂ，４ｃが取り付けられるバッフル板としても機能するものであり、スピーカ４ａ，４ｂ，４ｃ及びダクト４ｄを取り付けるための開口部１１ａ，１１ｂ，１１ｃ，１１ｄが同軸に並んで設けられている。そして、一番上側の開口部１１ａには、トゥイータ４ａの放音面側が取り付けられ、次の開口部１１ｂには、スコーカ４ｂの放音面側が取り付けられ、次の開口部１１ｃには、ウーファ４ｃが取り付けられ、更に、最下の開口部１１ｄには、ダクトが４ｄが取り付けられる。ダクト４ｄは、略Ｌ字状の筒状体であり、一端が開口部１１ｃに取り付けられたウーファ４ｃに接続され、他端が開口部１１ｄに取り付けられる。なお、フロント部材１１の前面には、フロント部材１１に取り付けられたスピーカ３ａ，３ｂ，３ｃの振動板等を保護するためのカバー１０が取り付けられる。
【００１７】
スピーカ４ａ，４ｂ，４ｃ及びダクト４ｄが取り付けられたフロント部材１１には、スピーカキャビネットとなるセンタ部材１２が取り付けられる。センタ部材１２は、ねじ等でフロント部材１１に取り付けられることによって、フロント部材１１とでエンクロージャとなる。このセンタ部材１２には、外面側に、第１の操作部５ａが設けられる。この第１の操作部５ａは、スイッチ素子１３ａが設けられたスイッチ基板１３と、スイッチ素子１３ａを押圧する押圧子１４ａが設けられた操作釦１４と、操作釦１４が取り付けられる操作釦カバー１５と、外部記憶装置が装着されるスロット装置１６ａが設けられたスロット基板１６と、スロットを構成するフレーム１７と備える。スイッチ基板１３は、センタ部材１２の外面下側に取り付けられ、操作釦１４は、操作釦カバー１５の操作孔１５ａより外部に臨ませ、押圧子１４ａがスイッチ素子１３ａを押圧できるようにセンタ部材１２の外面に取り付けられる。また、スロット装置１６ａは、外部記憶装置の挿入口にフレーム１７が取り付けられ、このスロット基板１６もセンタ部材１２の外面下側に取り付けられる。
【００１８】
スピーカユニット３ａの第１の操作部５ａは、その構成部材がセンタ部材１２の外面に設けられることで、フロント部材１１とセンタ部材１２とでスピーカキャビネットを構成することができ、スピーカ４ａ，４ｂ，４ｃから放音される再生音の音質の向上を図ることができる。すなわち、センタ部材１２の内側から操作部５ａを構成するプリント配線基板と他のプリント配線基板とを結線するケーブルをエンクロージャ内から引き出す必要が無くなり、フロント部材１１とセンタ部材１２とで構成される空間部をエンクロージャで構成することができる。
【００１９】
更に、センタ部材１２の背面側には、外筐の一部を構成するリア部材１８が取り付けられる。このリア部材１８は、フロント部材１１側から背面側に向かって略円弧状に形成され、背面側に、センタ部材１２に取り付けられた第１の操作部５ａを構成する操作釦１４を外部に臨ませるための切欠部１９が形成されている。また、リア部材１８には、表示パネルユニット２の背面に取り付けられるリアカバー２３との境界部分に、表示パネルユニット２の背面に設けられる別の放送方式の信号をデコードするためのデコード基板の差し込みを可能とするための差し込み凹部２１が設けられている。例えば、デコード基板としては、ＢＳ（Ｂｒｏａｄｃａｓｔｉｎｇ  Ｓａｔｅｌｌｉｔｅ）ディジタル放送又は今後開始される地上波ディジタル放送のデコーダが設けられた基板である。そして、リア部材１８の差し込み凹部２１には、ここを閉塞するカバー２２が取り付けられる。リア部材１８及びカバー２２は、表示パネルユニット２のリアカバー２３と共に外筐を構成する。
【００２０】
フロント部材１１にリア部材１８が取り付けられたとき、リア部材１８と差し込み凹部２１を閉塞するカバー２２と表示パネルユニット２のリアカバー２３は、外筐を構成する。薄型表示装置１では、スピーカユニット３ａの側面部の背面側に、切欠部１９より第１の操作部５ａが外部に臨まされる。第１の操作部５ａが外部に臨まされる位置は、リア部材１８が略円弧状に形成されることで、薄型表示装置１の正面から見えない箇所であるから、薄型表示装置１は、正面からの見栄えを良くすることができる。
【００２１】
図５に示すように、スピーカユニット３ａの表示パネルユニット２側には、表示パネルユニット２の更に前面に取り付けられるフロントガラス２４の差し込み部２５がフロント部材１１とセンタ部材１２とで形成される。フロントガラス２４の端部は、この差し込み部２５に差し込まれることによって、表示パネルユニット２の長辺に取り付けられる図示しないフレームと共に位置決め保持される。なお、図５でフロントガラス２４は、更に、センタ部材１２に取り付けられるブラケット２６によっても支持される。
【００２２】
なお、スピーカユニット３ｂも、スピーカユニット３ａと同様な構成を有し、第２の操作部５ｂは、薄型表示装置１の正面から見えない箇所に設けられている。
【００２３】
ところで、スピーカユニット３ａには、第１の操作部５ａが設けられ、スピーカユニット３ｂには、第２の操作部５ｂが設けられている。第１の操作部５ａは、上述のように複数の押し釦等で構成され、第２の操作部５ｂは、ジャック等で構成され、センタ部材１２に設けられる操作部５ａ，５ｂは、大きさも形状も異なる。そこで、スピーカキャビネットを構成するスピーカユニット３ａ，３ｂの各センタ部材１２は、異なる凹凸２７を設けることによって、容量Ｃを略同じにし、各スピーカユニット３ａ，３ｂから放音される再生音の音質を揃えるようにしている。
【００２４】
以上のように構成された薄型表示装置１は、スピーカ３ａ，３ｂ、３ｃが取り付けられるフロント部材１１とこのフロント部材１１に取り付けられるセンタ部材１２とでエンクロージャを構成することから、スピーカユニット３ａ，３ｂから放音される再生音の音質向上を図ることができる。また、薄型表示装置１は、スピーカユニット３ａ，３ｂの各センタ部材１２に異なる凹凸２７を設けることによって、容量Ｃを略同じにし、各スピーカユニット３ａ，３ｂから放音される再生音の音質を揃えることができる。更に、薄型表示装置１では、スピーカユニット３ａ，３ｂの側面部の背面側に、切欠部１９より第１及び第２の操作部５ａ，５ｂが外部に臨まされ、第１及び第２の操作部５ａ，５ｂが外部に臨まされる位置は、正面から見えない箇所であるから、薄型表示装置１は、正面からの見栄えを良くすることができる。
【００２５】
以上の例では、プラズマディスプレイパネルを用いた薄型表示装置１を説明したが、本発明は、液晶表示パネルを用いた薄型表示装置であってもよく、更には、ＣＲＴ（Ｃａｔｈｏｄｅ  Ｒａｙ  Ｔｕｂｅ）を用いた表示装置であってもよい。更に、スピーカユニットが設けられる位置は、表示パネルユニットの両側に加え、上側や下側に設けるようにしてもよい。
【００２６】
【発明の効果】
本発明によれば、表示ユニットの両側に配設されたスピーカユニットのスピーカがエンクロージャに取り付けられているので、再生音の音質向上を図ることができる。
【図面の簡単な説明】
【図１】本発明を適用した薄型表示装置の正面図である。
【図２】上記薄型表示装置の背面を第１の操作部側から見た要部斜視図である。
【図３】上記薄型表示装置の背面を第２の操作部側から見た要部斜視図である。
【図４】第１の操作部が設けられたスピーカユニットの分解斜視図である。
【図５】第１の操作部が設けられたスピーカユニットの取付状態を示す要部断面図である。
【符号の説明】
１  薄型表示装置、２  表示パネルユニット、３ａ，３ｂ  スピーカユニット、４ａ，４ｂ，４ｃ  スピーカ、５ａ  第１の操作部、５ｂ  第２の操作部、１１フロント部材、１２  センタ部材、１３  スイッチ基板、１４  操作釦、１５操作釦カバー、２２  カバー、２３  リアカバー、２４  フロントガラス
【図１】
2004363832.tif 000003
【図２】
2004363832.tif 000004
【図３】
2004363832.tif 000005
【図４】
2004363832.tif 000006
【図５】
2004363832.tif 000007